(57)【要約】【課題】ヒト表面組織の制御された熱処理のための方法およびシステムの提供。【解決手段】音響エネルギー付与の精密な空間的および時間的制御を介して様々な形態、大きさ、および深度の熱損傷を制御可能に生じさせる能力に基づく、ヒト表面組織の制御された熱傷のための方法およびシステム。本装置は、制御システム（３００）および処置計画、エネルギーの制御および送出、処置条件の監視を容易にするプローブを含む。関心領域内のヒト表面組織における制御された熱傷のための治療処置システムであって、前記処置システムを制御するように構成された制御システムと、前記関心領域内に均一な損傷を生成するように構成されたプローブと、を備え、前記制御システムおよび前記プローブは、前記均一な損傷を生成するための空間的および時間的制御を行うように構成される、治療処置システム。【選択図】図２
2020203206.tif 000002
【特許請求の範囲】
【請求項１】
本願明細書に記載された発明。
【発明の詳細な説明】
【技術分野】
【０００１】
本発明は概して治療処置システム、さらに詳しくはヒト表面組織における制御された熱傷に対する方法およびシステムに関する。
【背景技術】
【０００２】
美容適用のためのヒト表面組織の治療処置の現在の技術は、いくつかの異なるエネルギー源を活用する。典型的な従来のエネルギー源には、剥離および非剥離レーザー、無線周波（ＲＦ）エネルギー、そしてさらに最近では超音波を利用した技術が含まれる。超音波を利用した治療法の現在の例には、Ｋｌｏｐｔｅｋ（特許文献１およびその関連継続、特許文献２）、Ｈｉｓｓｏｎｇら（特許文献３）、およびＣｏｌｅｍａｎ（特許文献４）において開示されているものがある。
【０００３】
Ｋｌｏｐｔｅｋは特許文献１において、「従来の温熱治療よりも有意に低い用量」を使用することによって外部表皮に有害な損傷を与えずに真皮層が「徐々に刺激されまたは炎症を起こす」ように集束超音波ビームを適用することによって皮膚の皺を軽減する方法を冒頭で示唆している。焦点強度５００〜１５００Ｗ／ｃｍ２でわずか１０ｎｓ〜２００μｓの時間、つまり５μＪ／ｃｍ２〜０．３ジュール／ｃｍ２でエネルギーが適用されるため、開示されている方法論は非熱傷を主張するのみである。このような低量のエネルギーにもかかわらず、穏やかな刺激および炎症とは対照的に傷害を引き起こすのに十分な４７〜７５℃まで組織温が上昇するとＫｌｏｐｔｅｋは主張している。その後Ｋｌｏｐｔｅｋは特許文献２においてパルス状（連続波とは対照的に）超音波の使用を開示しているが、同じ低い焦点強度（５００−１５００Ｗ／ｃｍ２）とパルス幅（１０ｎｓ−２００μｓ）であり、そのような音響励振が真皮層において音響衝撃波およびキャビテーション効果を生じさせると主張している。実際は、組織の熱容量の本質的な限界、例えば皮膚の特定熱容量は約３４３０Ｊ／ｋｇ／Ｋであり、また音波の波及効果のため、特許文献１および特許文献２の特許においてまとめて教示されているように、そのような「徐々の刺激および炎症」で組織においてそのようなキャビテーション、温度上昇または衝撃波を誘発することはその技術に精通している者にとって技術的には不可能ではないにしても極めて難しい。
【０００４】
Ｈｉｓｓｏｎｇは、剥離のステップが「皮膚の外部表面下５０〜１００μｍに位置する開始縁から開始」し、「５０〜１００μｍの深度」の損傷、つまり皮膚の表面より５０μｍから２５０μｍの深度から広がっている損傷を生じさせるための局所性損傷の形成を含む、０．５〜１２ＭＨｚからの周波数での皮膚再生方法を開示している。Ｈｉｓｓｏｎｇはまた、「２〜６０秒間」の皮膚の加熱が局所的損傷を形成すると主張している。しかしながら、多数の欠点がＨｉｓｓｏｎｇの技術の実用性を制限している。
【０００５】
例えば、そのような長時間のエネルギー送出は結果として、横方向および軸方向の両方で有意な熱拡散および損傷の成長を引き起こし、浅い５０μｍから２５０μｍの深度に渡って局所性損傷の配置を大幅に妨げる。第二に、Ｈｉｓｓｏｎｇの最高周波数、つまり１２ＭＨｚが出願において考慮されていたとしたら、相当する組織における波長は約１２８μｍとなるであろう。音響ビームプロファイルに対する焦点深度、つまり焦点ビームの長さがいくつかの波長から成ることを考慮すると、最もしっかりした回折限界的集束に対してさえも、熱的に誘導された損傷である長さ５０から１５０μｍというそのような短／サブ波長を生じさせることは実用的ではない。さらに、より低い周波数では、熱的に誘導された損傷であるそのような短／サブ波長を生じさせることはより難しいであろう。なお、強力な集束の使用は比較的大きな開口変換器を必要とするため、Ｈｉｓｓｏｎｇによって教示された多要素塗布器は非常に大きくなって顔面皮膚および頸部組織上を音響的に結合することは難しくなり、主張されているように損傷を融合させることは極めて難しいだろう。最後に、Ｈｉｓｓｏｎｇによって開示されているような、そのように浅い深度および長期処置回数に限定された損傷は、実用性および臨床処理能力の範囲に限界があり、このことは長期に渡ってミクロンレベルに固定された携帯プローブの維持という要件によってさらに妨げられる。
【０００６】
Ｃｏｌｅｍａｎは、集束超音波剥離は活性表面で機械的に組み合わされて「配列した要素を放出する複数の個別超音波」を有する多要素単位を形成する別々の単一要素より開始し、「超音波エネルギーを放出し、放出された超音波エネルギーを、超音波放出部材からの所定の距離に集束させること」を提示したと主張している。Ｃｏｌｅｍａｎは「配列に取り囲まれた要素を放出する複数の個別超音波」とさらに教示し、「互いに分離され明確に分かれ、同じ固定された所定の距離で外側に位置している各集束帯」で設定した。最後に、Ｃｏｌｅｍａｎは「超音波エネルギーを放出するために選択的かつ独立して作動可能であり、および超音波エネルギーを放出しないために選択的かつ独立して作業可能でない前述の配列にある超音波放出要素」による組織内の損傷の形成を説明している。
【０００７】
よって、Ｃｏｌｅｍａｎは損傷形成案において柔軟性に対する本当の必要性を認識し、別々に作動された多要素変換器配列に共に格納された固定集束単一要素から、別々の損傷を組み合わせることによって様々な形態の損傷を生じさせようとしていると思われる。残念ながらそのような技術は熱膨張への多大な依存のため、空間的および時間的、そしてその精度においても大きく限られている。また、多要素配列は広い面積に及ぶよう構成されており、対象組織はほとんどの場合湾曲しているため、Ｃｏｌｅｍａｎによって教示された集束超音波剥離装置を音響的に結合することは難しいであろう。さらに、良好な強度を得るために集束皿状変換器要素、または少なくとも平面ディスクが大きくなければならず、良好な集束、つまり高強度の獲得、低副ローブおよびグレーティングローブを達成するためにそのような要素を波長レベルで間隔を空ける必要があるため、配列が操作にとって煩わしくなる。最後に、Ｃｏｌｅｍａｎは平面的な損傷を形成しようとしているが、そのような損傷はエネルギーの側方熱拡散を通して形成されるため、その損傷は縦方向にも制御不可能に成長する。
【０００８】
従って、従来の治療処置技術には、多数の基礎的物理制限、技術的困難、そしてヒト表面組織内の任意の形態、大きさ、深度の損傷の柔軟かつ正確な生成および制御を妨げる実用性問題がある。
【先行技術文献】
【特許文献】
【０００９】
【特許文献１】米国特許第６，１１３，５５９号明細書
【特許文献２】米国特許第６，３２５，７６９号明細書
【特許文献３】米国特許第６，５９５，９３４号明細書
【特許文献４】米国特許第６，６９２，４５０号明細書
【発明の概要】
【課題を解決するための手段】
【００１０】
本発明の様々な側面によれば、ヒト表面組織における制御された熱傷に対する治療処置方法およびシステムは、音響エネルギー付与の精密な空間的および時間的制御を通して様々な形態、大きさ、および深度の熱損傷を制御可能に生じさせる能力に基づいている。典型的実施例によれば、典型的な治療処置システムは、処置計画、音響エネルギーの制御および／または送出、および／または関心領域に対する処置状況の監視を容易にすることができる制御システムおよびプローブシステムを含む。結果として、表面ヒト組織において熱傷の均一な（ｃｏｎｆｏｒｍａｌ）損傷を制御可能に生じさせる能力を実現することができる。
【００１１】
典型的実施例によれば、典型的な処置方法によって熱傷の領域が制御された均一な形態および大きさを構成することが可能となり、制御された空間的および時間的様式で組織の破壊（剥離）が可能となる。例えば、熱損傷は狭いまたは広い側方範囲、長いまたは短い軸長、および／または表面外部の組織までを含む深いまたは浅い位置で、適切かつ選択的に生成され得る。さらに、島状の別々の破壊を組織関心領域の一部または全体に生じさせることもでき、および／または隣接するまたは重なった構造を離れた損傷から生じさせることができる。本発明の他の典型的実施例によれば、典型的方法は隣接する熱傷を生成するための関心領域の一部または全体へのスキャニングを含むことができる。均一な損傷は変換器の構造および配置の選択などの変換器音響エネルギー空間分布の独立した選択および制御を通してだけでなく、駆動振幅レベル、周波数／波形の選択、および組織の熱剥離を制御するために調節および最適化ができるタイミング配列などの時間的制御を通しても達成することができる。また、音響結合インターフェースの温度を制御することができるため、さらに損傷形成制御の別の典型的方法が可能となる。
例えば、本願発明は以下の項目を提供する。
（項目１）
関心領域内のヒト表面組織における制御された熱傷のための治療処置システムであって、
該処置システムを制御するように構成された制御システムと、
該関心領域内に均一な損傷を生成するように構成されたプローブと、
を備え、該制御システムおよび該プローブは、該均一な損傷を生成するための空間的および時間的制御を行うように構成される、治療処置システム。
（項目２）
前記空間的制御は、変換器構成、距離、配置、方向および動作を含む１つ以上の空間的パラメータの操作制御を含む、項目１に記載の治療処置システム。
（項目３）
前記時間的制御は、駆動振幅レベル、周波数／波形、およびタイミング配列を含む１つ以上の時間的パラメータの操作制御を含む、項目１に記載の治療処置システム。
（項目４）
前記空間的および時間的制御は、開ループフィードバック制御ループを通して容易となる、項目１に記載の治療処置システム。
（項目５）
前記空間的および時間的制御は、閉ループフィードバック制御ループを通して容易となる、項目１に記載の治療処置システム。
（項目６）
前記制御システムは、
該制御システムおよび前記プローブにエネルギーを供給するように構成された電源コンポーネントと、
前記空間的および時間的パラメータを監視するように構成された感知および監視コンポーネントと、
表面ヒト組織接合部分および組織内へのさらなる深部において温度制御を容易にするように構成された冷却および結合制御と、
前記治療処置システムの全体制御に対する処理および制御論理コンポーネントと、
を備える、項目１に記載の治療処置システム。
（項目７）
前記プローブは、
前記制御システムと相互作用するための制御インターフェースと、
前記関心領域へ剥離超音波エネルギーを提供するように構成された変換器と、
該関心領域へ該変換器を音響的に結合させるための結合コンポーネントと、
該制御システムによる制御を容易にするための監視および感知コンポーネントと、
該プローブの手動および自動化動作のうちの１つを含む動作機構と、
を備える、項目１に記載の治療処置システム。
（項目８）
前記変換器構成は、集束、平面、非集束要素、１つ以上の単一要素、多要素および配列変換器、１つ以上の一次元、二次元、環状配列、直線、曲線、扇形、および球形配列による１つ以上の構造を備える、項目２に記載の治療処置システム。
（項目９）
前記変換器構成は、プラスチック、ポリウレタン、セラミック、金属、液体、および合成物のうち少なくとも１つから成る、１つ以上の球状レンズ、円柱状レンズ、電子的集束レンズ、凹面形レンズおよび薄型レンズを備える、項目８に記載の治療処置システム。
（項目１０）
前記変換器構成は、１つ以上の周波数で励起される広帯域変換器を備える、項目２に記載の治療処置システム。
（項目１１）
前記プローブは、センサ、動作センサ、スイッチ、作動装置、指示器、エンコーダ、プローブ識別、記憶装置、開口選択およびマルチプレクサ、電子整合ネットワーク、および切り替え、相互連結、接合具、取っ手、および使い捨て部材のうち少なくとも１つを備える、項目７に記載の治療処置システム。
（項目１２）
前記制御システムは、処置計画、表示部、スイッチ、マイクロコントローラ、マイクロプロセッサ、コンピュータ、制御ファームウェア、ユーザーおよび制御ソフトウェアのうちの少なくとも１つを備える、項目６に記載の治療処置システム。
（項目１３）
前記制御システムは、直流電力供給装置、電流センサ、電力検出および測定、波形合成装置、発振器、デジタルプログラム可能論理、増幅器／ドライバ、ビーム作成器、高調波フィルター、整合ネットワーク、冷却／音響結合／熱制御／音響集束制御ハードウェア、動作機構ドライバおよび制御、動作センサ、監視および閉ループ制御、インターフェーシングおよび制御、外部入力／出力ハードウェアおよび外部インターフェースのうちの１つ以上を備える、項目６に記載の治療処置システム。
（項目１４）
前記プローブは、前記変換器と関心部との間の接合部分および関心領域間内への温度を調整するように構成された変換器音響結合、冷却、および／または液体充填音響レンズ効果機構を備える、項目６に記載の治療処置システム。
（項目１５）
前記プローブは、組織接合部分に対して押し下げられ、それにより血液還流が少なくとも部分的に遮断され、組織が表面の処置関心領域において扁平になる、項目１に記載の治療処置システム。
（項目１６）
前記制御された熱傷は、生物学的修復機構を引き起こすように継続的または不連続に沈着される、項目１に記載の治療処置システム。
（項目１７）
前記の制御された熱傷は、前記表面ヒト組織の少なくとも１つの位置において、熱傷の形態および深度を変化させることにより、修復の最適化された周期を容易にするように沈着される、項目１に記載の治療処置システム。
（項目１８）
前記変換器構成は、液体充填、ゲル充填、固体ゲルレンズ、ゴムまたは複合レンズ、または表面組織および／または音響結合媒体よりも低い速度および適切な電力処理能力を有する任意の材料のうちの少なくとも１つの外形の凸面形レンズを備える、項目２に記載の治療処置システム。
（項目１９）
前記変換器構成は、単一変換要素内の映像化／治療複合変換器を備え、該映像化変換器は該治療変換器から電気的に分離される、項目２に記載の治療処置システム。
（項目２０）
前記制御システムは、一次元、二次元、および三次元映像化または処置のうちの少なくとも１つを容易にするように構成された映像化システムを備える、項目１に記載の治療処置システム。
（項目２１）
関心領域内のヒト表面組織における制御された熱傷のための方法であって、
様々な選択肢から熱損傷の少なくとも１つの形態、大きさ、および方向を選択するステップと、
制御システムおよびプローブに１つ以上の空間的パラメータを提供するステップと、
該制御システムおよび該プローブに１つ以上の時間的パラメータを提供するステップと、
該関心領域内の該熱損傷の該選択された形態、大きさ、および方向を生じさせるための該空間的パラメータおよび該時間的パラメータに基づき、該制御システムおよび該プローブの操作を制御するステップと、
を含む、方法。
（項目２２）
前記制御操作は、前記熱損傷の前記選択された形態、大きさ、および方向を得た時を決定するために閉ループフィードバックループを活用するステップを備える、項目２０に記載の方法。
（項目２３）
前記制御操作は、前記熱損傷の前記選択された形態、大きさ、および方向を得た時を決定するために閉ループフィードバックループを活用するステップを備える、項目２０に記載の方法。
（項目２４）
前記空間的パラメータは、変換器構成、距離、配置、方向、および動作を含む、項目２０に記載の方法。
（項目２５）
前記時間的パラメータは、駆動振幅レベル、周波数／波形、およびタイミング配列を含む、項目２０に記載の方法。
（項目２６）
前記制御システムおよびプローブは、０〜３０ｍｍの可変深度および１〜４０ＭＨｚの周波数範囲内で、組織の熱容量を越えるのに十分な時間およびエネルギーレベルによって熱損傷を生成するように制御される、項目２０に記載の方法。
（項目２７）
関心領域内の制御された熱傷に対して構成された処置システムであって、
該処置システムの空間的および時間的制御を容易にするように構成された制御システムと、
空間的および時間的制御のために構成された変換器を含むプローブであって、該プローブは、可変的形態、大きさ、および方向の均一な損傷を生成するように構成され、該損傷は、該関心領域に対する組織の熱容量を越えるのに十分な時間およびエネルギーレベルにおいて、１ＭＨｚと４０ＭＨｚの間の周波数での該変換器の操作を通して、０と３０ｍｍの間の表面ヒト組織の深度内で構成されるプローブと、
を備える処置システム。
（項目２８）
前記制御システムは、変換器構成、距離、配置、方向および動作を含む１つより多いの空間的パラメータの操作の制御、および駆動振幅レベル、周波数／波形、およびタイミング配列を含む１つより多いの時間的パラメータの操作の制御を行うように構成される、項目２６に記載の処置システム。
（項目２９）
前記処置システムは、開ループおよび閉ループフィードバックシステムのうちの少なくとも１つの中で構成される、項目２７に記載の処置システム。
（項目３０）
前記変換器は、映像化／治療複合変換器を含む、項目２６に記載の処置システム。
【図面の簡単な説明】
【００１２】
本発明の主題は明細書の結びの部分において特に指摘され、明確に主張されている。しかしながら、構造および操作の方法の両方に関して、本発明は特許請求の範囲および添付の図面と併せて取り上げられている次の説明を参照することによって最も良く理解することができ、またここでは類似部分を類似番号で示すことができる。
【図１】図１は本発明の典型的実施例による、ヒト表面組織の制御された熱傷に対する典型的な治療処置システムのブロック図を示す。
【図２】図２は本発明の典型的実施例による、制御された熱傷の複数の損傷を含むヒト表面組織の関心領域の断面図を示す。
【図３Ａ】図３Ａおよび３Ｂは本発明の典型的実施例による、典型的な制御システムのブロック図を示す。
【図３Ｂ】図３Ａおよび３Ｂは本発明の典型的実施例による、典型的な制御システムのブロック図を示す。
【図４Ａ】図４Ａおよび４Ｂは本発明の典型的実施例による、典型的なプローブシステムのブロック図を示す。
【図４Ｂ】図４Ａおよび４Ｂは本発明の典型的実施例による、典型的なプローブシステムのブロック図を示す。
【図５】図５は本発明の典型的実施例による、典型的な変換器の断面図を示す。
【図６Ａ】図６Ａおよび６Ｂは本発明の典型的実施例による、典型的な変換器の断面図を示す。
【図６Ｂ】図６Ａおよび６Ｂは本発明の典型的実施例による、典型的な変換器の断面図を示す。
【図７】図７は本発明の様々な典型的実施例による、超音波処置に対する典型的な変換器構成を示す。
【図８】図８Ａおよび８Ｂは本発明の別の典型的実施例による、典型的な変換器の断面図を示す。
【図９】図９は本発明の典型的実施例による、超音波処置に対する２次元配列として構成された典型的な変換器を示す。
【図１０Ａ】図１０Ａ−１０Ｆは本発明の他の典型的実施例による、典型的な変換器の断面図を示す。
【図１０Ｂ】図１０Ａ−１０Ｆは本発明の他の典型的実施例による、典型的な変換器の断面図を示す。
【図１０Ｃ】図１０Ａ−１０Ｆは本発明の他の典型的実施例による、典型的な変換器の断面図を示す。
【図１０Ｄ】図１０Ａ−１０Ｆは本発明の他の典型的実施例による、典型的な変換器の断面図を示す。
【図１０Ｅ】図１０Ａ−１０Ｆは本発明の他の典型的実施例による、典型的な変換器の断面図を示す。
【図１０Ｆ】図１０Ａ−１０Ｆは本発明の他の典型的実施例による、典型的な変換器の断面図を示す。
【図１１】図１１は本発明の典型的実施例による、音響結合および冷却システムの概略図を示す。
【図１２】図１２Ａおよび１２Ｂは本発明の典型的実施例による、典型的な開ループおよび閉ループフィードバックシステムのブロック図を示す。
【図１３】図１３は本発明の典型的実施例による、様々な空間的に制御された構造に対するシミュレーション結果の典型図を示す。
【図１４】図１４は本発明による、一対の損傷結果のシミュレーション結果の典型図を示す。
【図１５】図１５は本発明による、一対の損傷結果のシミュレーション結果の別の典型図を示す。
【発明を実施するための形態】
【００１３】
本発明はここで様々なコンポーネントおよび処理ステップに関して説明することができる。当然のことながら、そのようなコンポーネントおよびステップは、特定の機能を実行するために構成されたあらゆる数の金属部品によって実現することができる。例えば、本発明は１つ以上の制御システムまたは他の制御装置下で様々な機能を実行する様々な医療処置装置、視覚映像化および表示装置、入力端末および類似物を採用することができる。また、本発明はあらゆる数の医療または処置状況において実践することができ、ここで説明されているようなヒト表面組織の制御された熱傷に対する治療処置方法に関する典型的実施例は、本発明の典型的適用のうち数例にすぎない。例えば、検討されている原理、特徴、および方法は他のあらゆる医療または他組織または処置用途に適用することができる。
【００１４】
本発明の様々な側面によれば、ヒト表面組織の制御された熱傷に対する治療処置方法およびシステムは、音響エネルギー付与の精密な空間的および時間的制御を通して様々な形態、大きさ、および深度の熱損傷を制御可能に生じさせる能力に基づいている。図１を参照すると、典型的実施例によれば、典型的な治療処置システム１００は、処置計画、音響エネルギーの制御および／または送出、および／または関心領域１０６に対する処置状況の監視を容易にすることができる制御システム１０２およびプローブシステム１０４を含む。関心領域１０６はヒト表面組織内に構成され、組織の外部表面直下から約３０ｍｍ以上の深度を含む。
【００１５】
治療処置システム１００は、音響エネルギー付与の精密な空間的および時間的制御を通して関心領域１０６内の表面ヒト組織に熱傷の均一な損傷を制御可能に生じさせる能力を伴って構成され、つまり、プローブ１０４の制御は、そのような制御が組織に依存していない選択された時間および空間パラメータ内に限られている。典型的な実施例によれば、制御システム１０２およびプローブシステム１０４は音響エネルギーの分布の様式を制御することによって、音響エネルギーの空間的制御に対して適切に構成することができる。例えば、関心領域１０６に高周波の音波を当てる１つ以上の変換器構成の種類の選択、プローブシステム１０４が特定の方向またはそうでなければ関心領域１０６からの距離の変化を有する隣接する熱傷を生じさせるために関心領域１０６の一部または全体をスキャンするように構成されているような関心領域１０６に関連した音響エネルギーの送出に対するプローブシステム１０４の選択および配置、および／または他の環境的パラメータの制御、例えば音響結合インターフェースの温度を制御することができる、および／またはプローブ１０４のヒト組織に対する結合を通して、空間的制御を実現することができる。空間的制御パラメータに加え、制御システム１０２およびプローブシステム１０４もまた、組織の熱剥離を制御するために駆動振幅レベル、周波数／波形の選択、つまり振動の種類、突発または連続波形、およびタイミング配列、および他のエネルギー駆動特徴の調節および最適化などを通して、時間的制御に対して構成することができる。空間的および／または時間的制御はまた、様々な空間的および時間的特徴の監視などを通して、開ループおよび閉ループフィードバック配置を通しても促進することができる。結果として、６自由度内の音響エネルギーの制御、例えば空間的にＸ、ＹおよびＺ域内、ならびにＸＹ、ＹＺおよびＸＺ域内の回転軸は、様々な形態、大きさ、および方向の均一な損傷を生成するために適切に達成することができる。
【００１６】
例えば、そのような空間的および／または時間的制御を通して、典型的な処置システム１００は、熱傷の領域が任意の形態および大きさを持つことを可能にし、制御された様式で組織の破壊（剥離）が可能となる。図２を参照すると、１つ以上の熱損傷を組織の関心領域２００内に生じさせることができ、そのような損傷は、外部表面の組織２０３までを含む、狭いまたは広い側方範囲、長いまたは短い軸長、および／または深いまたは浅い位置を有する。例えば、葉巻形損傷を、垂直配置２０４および／または水平配置２０６において生じさせることができる。また、雨滴形損傷２０８、扁平平面損傷２１０、円形損傷２１２および／または他のＶ字形／楕円形損傷２１４をとりわけ形成することができる。例えば、キノコ形損傷２２０が初期円形または葉巻形損傷２２２の初期生成などを通して生成され、成長する損傷２２４をさらに生成する熱膨張を引き起こす剥離超音波の継続的な適用によって、そのような熱膨張はキノコ形損傷２２０ができるまで続く。複数の形態を様々な大きさおよび方向で構成することもでき、例えば、損傷２０８は、全て空間的および／または時間的制御によって望ましい角度で右回りまたは左回りの回転方向にしたり、または選択した通りにより大きくまたはより小さくすることができる。さらに、島状の別々の破壊、つまり組織領域全体に離散した複数の損傷を、組織の関心領域２００内の一部または全体に生成することもできる。また、隣接および／または重なった構造２１６を損傷の制御された構造より生成することができる。例えば、一連の１つ以上の交差した損傷２１８は、様々な種類の処置方法を容易にするように組織領域にそって生じさせることができる。
【００１７】
制御された熱傷の特定の構造は、望ましい組織および治療効果を達成するように選択される。例えば、熱および非熱流動、キャビテーション性、流体力学的、剥離性、収斂性、透熱性、および／または共鳴誘導型組織効果を含むがそれに限定されないあらゆる組織効果を実現することができる。そのような効果は、高度な実用性を提供するために関心領域２００内の約０−３００００μｍの範囲に及ぶ処置深度で適切に実現することができる。
【００１８】
再度図１を参照すると、制御システム１０２およびプローブシステム１０４で構成される典型的な治療処置システム１００は、様々な構成も含み、様々な別の副システムおよびコンポーネントに細分することができる。例えば、治療処置システム１００は音響エネルギーの空間的および／または時間的分布を容易にするために適切な位置に配置された様々なシステムおよびプローブコンポーネントに分けられる。また、制御システム１０２およびプローブシステム１０４は、プローブシステム１０４内の映像化変換器を操作および制御するように構成された制御システム１０２内の映像化副システム、例えば、組織パラメータ監視に対して構成された別々の映像化変換器および別々の治療変換器、または映像／治療化複合変換器などの他の副システムを含むことができる。
【００１９】
図３Ａおよび３Ｂを参照すると、典型的実施例によれば、典型的な制御システム３００は治療システムユーザーによって行われた調節可能な設定によれば治療処置過程全体の調整および制御に対して構成することができる。例えば、制御システム３００は、電源コンポーネント３０２、感知および監視コンポーネント３０４、冷却および結合制御３０６、および／または処理および制御論理コンポーネント３０８を適切に含むことができる。制御システム３００は、制御された熱傷に対する治療システムを実施するようにより多くのまたはより少ない副システムおよびコンポーネントを伴って様々な方法で構成および最適化することができ、図３Ａおよび３Ｂの実施例は説明目的のためにすぎない。
【００２０】
例えば、電源コンポーネント３０２に対して、制御システム３００は変換器電子増幅器／ドライバ３１２によって必要とされる電力を含む、制御システム全体に対する電気エネルギーを提供するように構成された１つ以上の直流（ＤＣ）電力供給装置３０３を含むことができる。ＤＣ電流センサ３０５もまた、安全および監視目的で増幅器／ドライバ３１２へ流れる電力のレベルを確認するために備えることができる。
【００２１】
増幅器／ドライバ３１２は、多チャネルまたは単一チャネル電力増幅器および／またはドライバを含むことができる。変換器配列構成に対する典型的な実施例によれば、増幅器／ドライバ３１２はまた、配列集束を容易にするようにビーム作成器を伴って構成することもできる。典型的なビーム作成器は、関連切り替え論理を持つ発振器／デジタル制御された波形合成装置３１０によって電気的に励起することができる。
【００２２】
電源コンポーネントはまた、様々なフィルター構成３１４も含むことができる。例えば、ドライバの能率および効率を向上させるために切替可能高調波フィルター、および／または整合を増幅器／ドライバ３１２の出力において使用することができる。電力検出コンポーネント３１６もまた、適切な操作および較正を確認するために含むことができる。例えば、典型的なプローブシステムへ流れる電力量を監視するために、電力およびその他エネルギーの検出コンポーネント３１６を使用することができる。
【００２３】
様々な感知および監視コンポーネント３０４もまた、制御システム３００内で適切に実施することができる。例えば、典型的な実施例によれば、監視、感知、および相互作用制御コンポーネント３２４は、関心領域からの音響または他の空間的および時間的情報などの情報を受け取って処理するために、変換器プローブ１０４内で実施される様々な動作検出システムとともに操作するよう構成することができる。感知および監視コンポーネントはまた、様々な制御、相互作用およびスイッチ３０９および／または電力検出装置３１６も含むことができる。そのような感知および監視コンポーネント３０４は、処置システム１００内の開ループおよび／または閉ループフィードバックシステムを容易にすることができる。さらに、監視、感知および相互作用制御コンポーネント３２４は、一次元、二次元および／または三次元映像化機能に対して構成された映像化システムを含むことができる。そのような映像化システムは、写真および他の視覚光学的方法、磁気共鳴映像法（ＭＲＩ）、コンピュータ断層撮影法（ＣＴ）、光干渉断層撮影法（ＯＣＴ）、電磁気、マイクロ波、またはラジオ周波数（ＲＦ）方法、陽電子放出断層撮影法（ＰＥＴ）、赤外線、超音波、音響または他の適切な視覚化の方法、局所化、または関心領域１０６の監視のうち少なくとも１つに基づく映像診断法を含むことができる。さらに、温度測定装置およびコンポーネントなどの様々なその他の組織パラメータ監視コンポーネントを、監視、感知および相互作用制御コンポーネント３２４内に構成することができ、そのような監視装置は未知のまたは以下に考案される映像診断法を含む。
【００２４】
冷却／結合制御システム３０６は、典型的なプローブ１０４からの廃熱を除去し、表面組織接合部分および組織へのさらなる深部において制御された温度を提供し、および／または変換器プローブ１０４から関心領域１０６へ音響結合を提供するために備えることができる。そのような冷却／結合制御システム３０６はまた、様々な結合およびフィードバックコンポーネントとともに、開ループおよび／または閉ループフィードバック配置の両方において操作するよう構成することもできる。
【００２５】
処理および制御論理コンポーネント３０８は、ファームウェアおよび制御ソフトウェア３２６を含むマイクロコントローラ、マイクロプロセッサ、フィールド・プログラマブル・ゲート・アレイ（ＦＰＧＡ）、コンピュータボード、および関連コンポーネントのうちの１つ以上といった様々なシステムプロセッサおよびデジタル制御論理３０７を含むことができ、これはユーザー制御および相互作用回路、ならびに通信、表示、相互作用、保存、文書化、および他の有用な機能に対する入力／出力回路およびシステムに結びつく。システムソフトウェアおよびファームウェア３２６は、全ての初期化、タイミング、レベル設定、監視、安全性監視、およびユーザー定義の処置目的を達成するために必要なその他全てのシステム機能を制御する。さらに、様々な制御スイッチ３０８もまた、操作を制御するように適切に構成することができる。
【００２６】
典型的な変換器プローブ１０４もまた、様々な様式で構成され、その操作を容易にするように様々な実施例において多数の再利用可能および／または使い捨てコンポーネントおよび部品を含むことができる。例えば、変換器プローブ１０４は、組織接合部分に対する変換器の結合を容易にするためのあらゆる種類の変換器プローブ筐体または配置内で構成することができ、そのような筐体は特定の処置適用によって様々な形態、輪郭および構成を含む。例えば、典型的な実施例によれば、変換器プローブ１０４は、組織接合部分に対して押し下げられてよく、それにより血液還流が部分的または完全に遮断され、組織が表面の処置関心領域１０６において扁平になる。変換器プローブ１０４は、１つ以上のシリアルＥＥＰＲＯＭ（メモリ）などのプローブ取っ手、電子整合、変換器使用歴および較正を認証するために、例えば、電子的に切替可能である電子整合、マルチプレクサ回路および／または開口／要素選択回路、および／またはプローブ識別装置などのあらゆる種類の整合を含むことができる。変換器プローブ１０４はまた、ケーブルおよび接合具、動作機構、動作センサおよびエンコーダ、熱監視センサ、および／またはユーザー制御および状態関連スイッチ、およびＬＥＤなどの指示器を含むこともできる。例えば、プローブ１０４における動作機構は、複数の損傷を制御可能に生じさせるために使用することができ、またプローブ動作の感知自体は、複数の損傷を制御可能に生じさせ、および／または、例えばプローブ１０４が突然引っ張られたり落とされた場合に安全目的で損傷の生成を止めるために使用することができる。また、プローブ１０４の空間的位置および姿勢が制御可能に損傷を生成することを補うために制御システムに送られることによって、外部動作エンコーダアームを使用中にプローブを保持するために使用することができる。さらに、様々な典型的な実施例によれば、表面形状測定装置などの感知機能性またはその他の映像診断法をプローブに組み込むことができる。
【００２７】
図４Ａおよび４Ｂを参照すると、典型的な実施例によれば、変換器プローブ４００は、制御インターフェース４０２、変換器４０４、結合コンポーネント４０６、および監視／感知コンポーネント４０８、および／または動作機構４１０を含むことができる。しかしながら、変換器プローブ４００は、制御された熱傷に対する超音波エネルギーを提供するようにより多くのまたはより少ない部品およびコンポーネントを伴って様々な方法で構成および最適化することができ、図４Ａおよび４Ｂの実施例は説明目的のためにすぎない。
【００２８】
制御インターフェース４０２は、変換器プローブ４００の制御を容易にするように制御システム３００との相互作用のために構成されている。制御インターフェースコンポーネント４０２は、マルチプレクサ／開口選択４２４、切替可能な電子整合ネットワーク４２６、シリアルＥＥＰＲＯＭおよび／または他の処理コンポーネントおよび整合およびプローブ使用情報４０３、およびインターフェース接合具４３２を含むことができる。
【００２９】
結合コンポーネント４０６は、関心領域への変換器プローブ４００の結合を用意にするように様々な装置を含むことができる。例えば、結合コンポーネント４０６は、超音波エネルギーおよび信号の音響結合のために構成された冷却および音響結合システム４２０を含むことができる。多岐管などの可能な連結部を有する音響冷却／結合システム４２０は、関心領域内へ音を合わせ、接合部分および組織へのさらなる深度において温度を制御し、液体充填レンズの集束を提供し、および／または変換器の廃熱を除去するために活用することができる。結合システム４２０は、空気および他の気体、水および他の液体、ゲル、固体、および／またはその組み合わせ、または変換器能動素子４１２と関心領域との間で信号の伝達を可能にするその他の媒体を含む、様々な結合媒体の使用を通してそのような結合を容易にすることができる。結合機能の提供に加え、典型的な実施例によれば、結合システム４２０はまた、処置適用中に温度制御を提供するために構成することもできる。例えば、結合システム４２０は、結合媒体の温度を適切に制御することによって、接合部分表面または変換器プローブ４００と関心領域との間の領域、および組織へのさらなる深部の制御された冷却のために構成することができる。そのような結合媒体に対する適切な温度は様々な様式で達成することができ、熱電温度計、サーミスタ、または結合媒体の温度測定のために構成されたその他の装置またはシステムなどの様々なフィードバックシステムを活用することができる。そのような制御された冷却は、変換器プローブ４００の空間的および／または熱エネルギー制御をさらに容易にするように構成することができる。
【００３０】
典型的な実施例によれば、さらに図１１を参照するが、音響的結合および冷却１１４０は、変換器プローブ１１０４からのエネルギーおよび映像化信号を関心領域１１０６間で音響的に結合させ、損傷を制御するために関心領域接合部分１１１０および組織内へのさらなる深部へプローブにおいて熱制御を提供し、領域１１４４において変換器プローブからの可能な廃熱を除去するように備えることができる。温度監視は、温度測定機構１１４８を提供し、制御システム１１０２および熱制御システム１１４２を介して制御するように、熱センサ１１４６を介して結合接合部分に備えることができる。熱制御はヒートシンクまたは自然伝導および伝達などを介する、またはペルチェ熱電冷却器、冷却剤、またはポンプ、液タンク、気泡検出、流量センサ、流路／管１１４４および熱制御１１４２から成る液体利用システムなどを伴う能動冷却を介する受動冷却より構成することができる。
【００３１】
引き続き図４に関して、監視および感知コンポーネント４０８は、例えば様々な空間的および時間的特徴を監視する開ループおよび閉ループフィードバック配置を通した空間的および／または時間的制御を容易にするように、様々な動作および／または位置センサ４１６、温度監視センサ４１８、ユーザー制御およびフィードバックスイッチ４１４、および制御システム３００による制御を容易にするための類似したコンポーネントを含むことができる。
【００３２】
動作機構４１０は、手動操作、機械的配置、またはその組み合わせを含むことができる。例えば、動作機構４２２は、変換器プローブ４００の動作および位置を決定し有効にするように、加速度計、エンコーダまたはその他の位置／方向装置４１６の使用などを通して、制御システム３００によって適切に制御することができる。直線、回転、または可変動作は、例えば処置適用および組織輪郭表面によって容易にすることができる。
【００３３】
変換器４０４は、音響エネルギー付与の精密な空間的および時間的制御を通して、関心領域内の表面ヒト組織における熱傷の均一な損傷を生じさせるために構成された１つ以上の変換器を含むことができる。変換器４０４はまた、１つ以上の変換要素および／またはレンズ４１２を含むこともできる。変換要素は、チタン酸ジルコン酸鉛（ＰＺＴ）などの圧電的活物質、または圧電性セラミック、結晶、プラスチック、および／または複合材料などのその他の圧電的活物質、ならびにニオブ酸リチウム、チタン酸鉛、チタン酸バリウム、および／またはメタニオブ酸鉛を含むことができる。圧電的活物質に加えて、またはその代わりに、変換器４０４は放射線および／または音響エネルギーの生成のために構成されたその他の材料を含むことができる。音響整合層および／または減衰を、望ましい電子音響反応を達成するように必要に応じて使用することもできる。
【００３４】
典型的な実施例によれば、変換器４０４の変換要素の厚さは一定となるように構成することができる。つまり、変換要素４１２は実質的に常に同じである厚さを有するように構成することができる。別の典型的な実施例によれば、変換要素４１２の厚さはまた、可変となるように構成することもできる。例えば、変換器４０４の変換要素４１２は、より低い範囲の中央動作周波数、例えば約１ｋＨｚから３ＭＨｚを提供するように選択された第一の厚さを有するよう構成することができる。変換要素４０４はまた、より高い範囲の中央動作周波数、例えば約３から１００ＭＨｚ以上を提供するように選択された第二の厚さを有するよう構成することもできる。変換器４０４は、望ましい反応を生成するために適切な出力を提供するように少なくとも２つ以上の周波数で励起する単一広帯域変換器として構成され得る。変換器４０４はまた、各変換器が１つ以上の変換要素を含む、２つ以上の個別変換器として構成され得る。変換要素の厚さは、望ましい処置範囲において中央動作周波数を提供するように構成することができる。例えば、変換器４０４は、約１ｋＨｚから３ＭＨｚの中央周波数範囲に相当する厚さを有する第一変換要素を伴って構成された第一変換器、および約３ＭＨｚから１００ＭＨｚ以上の中央周波数に相当する厚さを有する第二変換要素を伴って構成された第二変換器を含むことができる。
【００３５】
変換器４０４は、一次元、二次元、および環状配列を含む集束、平面、または非集束の単一要素、多要素、または配列変換器、直線、曲線、扇形、および球形配列、球状、円柱状、および／または電子的な集束、非集束、および／またはレンズ効果源より成り立つことができる。例えば、図５に表された典型的な実施例を参照すると、変換器５００は位相合わせを容易にするよう音響配列として構成することができる。つまり、変換器５００は、可変電子時間遅延を介した様々な位相によって操作することができる電子開口の配列として構成することができる。「操作する」という意味において、変換器５００の電子開口は、電子時間遅延によって起こる位相変化に適合するエネルギービームの産出および／または送出をするように、操作、駆動、使用、および／または構成することができる。例えば、これらの位相変化は、非集束ビーム、平面ビーム、および／または集束ビームを送出するために使用することができ、それぞれは関心領域５１０において異なる生理学的効果を達成するように併用することができる。変換器５００は、ソフトウェア、および／または１つ以上の電子時間遅延を伴う電子時間遅延を伴う位相開口配列の生成、産出、および／または駆動のためのその他のハードウェアをさらに含むことができる。
【００３６】
変換器５００はまた、様々な周波数を使用して１つ以上の関心領域に対する集中的な処置を提供するように構成することもできる。集中的な処置を提供するために、変換器５００は処置を容易にするように１つ以上の可変深度を伴って構成することができる。例えば、変換器５００は、本発明との少なくとも１人の共通発明者および共通出願人を有する「可変深度超音波に対するシステムおよび方法」と題され、２００４年６月に提出された米国特許出願第１０／９４４，５００号にて開示されている可変深度装置を伴って構成し、これを参照することにより組み込むことができる。また、変換器５００は、本発明との少なくとも１人の共通発明者および胸中出願人を有する「多方向変換器による超音波処理に対する方法およびシステム」と題され、２００４年９月１６日に提出された米国特許出願第１０／９４４，４９９号にて開示されているように、低調波またはパルスエコー映像化を有効にすることによって１つ以上の関心領域５１０を処置するよう構成することもでき、これを参照することにより組み込むこともできる。
【００３７】
さらに、液体充填レンズといった、様々な機械的レンズまたは可変焦点レンズも、音場を集束および／または非集束するために使用することができる。例えば、図６Ａおよび６Ｂに表されている典型的な実施例を参照すると、変換器６００は、関心領域６１０の処置において柔軟性の向上を容易にするための１つ以上の変換要素６０６と併用して電子集束配列６０４を伴って構成することもできる。配列６０４は、変換器５０２と同様の様式で構成することができる。つまり、配列６０４は、例えばＴ１、Ｔ２・・・Ｔｊといった可変電子時間遅延を介した様々な位相によって操作することができる電子開口の配列として構成することができる。「操作する」という意味において、配列６０４の電子開口は、電子時間遅延によって起こる位相変化に適合する様式で、エネルギーの産出および／または送出をするように、操作、駆動、使用、および／または構成することができる。例えば、これらの位相変化は、非集束ビーム、平面ビーム、および／または集束ビームを送出するために使用することができ、それぞれは関心領域６１０において異なる生理学的効果を達成するように併用することができる。
【００３８】
変換要素６０６は、凹面、凸面、および／または平面になるよう構成することができる。例えば、図６Ａに表されている典型的な実施例において、変換要素６０６Ａは、関心領域６１０の処置に対する集束エネルギーを提供するために凹面になるよう構成されている。付加的な実施例が「可変深度変換器システムおよび方法」と題された米国特許出願第１０／９４４，５００号において開示されており、再度これを参照することにより組み込むことができる。
【００３９】
図６Ｂに表されている別の典型的な実施例において、変換要素６０６Ｂは、関心領域６１０に実質的に一定のエネルギーを提供するために、実質的に平面となるよう構成することができる。図６Ａおよび６Ｂは、それぞれ凹面および実質的平面として構成された変換要素６０４で典型的な実施例を表しているが、変換要素６０４は、凹面、凸面、および／または実質的平面となるよう構成することができる。また、変換要素６０４は、凹面、凸面、および／または実質的平面構造のいずれの組み合わせとなるように構成することができる。例えば、第一変換要素を凹面となるよう構成することができる一方で、第二変換要素を実質的平面となるよう構成することができる。
【００４０】
図８Ａおよび８Ｂを参照すると、変換器４０４は、単一要素配列として構成されてもよく、単一要素８０２（例えば、様々な構造および材料の変換要素）は、複数のマスク８０４を伴って構成されてもよく、そのようなマスクはセラミック、金属、または要素８０２からのエネルギー分布の遮蔽および変更のための他の材料または構造を含み、エネルギー分布配列８０８を作成することができる。マスク８０４は、要素８０２に直接結合したり、または適切な固体または液体材料などの隔離部８０６で分離することができる。
【００４１】
典型的な変換器４０４は、平面、集束または／および非集束音響得寝る偽を提供するよう環状配列として構成することもできる。例えば、図１０Ａおよび１０Ｂを参照すると、典型的な実施例によれば、環状配列１０００は、複数の環１０１２、１０１４、１０１６からＮを含むことができる。複数の環１０１２、１０１４、１０１６からＮは、個々の要素一式に機械的および電子的に分離することができ、平面、集束、および非集束波を作成することができる。例えば、そのような波は相当する送信および／または受信遅延τ１、τ２、τ３・・・τＮを調節する方法などによって、軸上に集中させることができる。電子集束は様々な深度位置に沿って適切に移動させることができ、可変強度またはビーム密度を有効にすることができる一方、電子非集束は変化する非集束量を有することができる。典型的な実施例によれば、レンズおよび／または凸面または凹面形環状配列１０００はまた、あらゆる時間遅延差が軽減できるために集束または非集束を補助するように備えることもできる。プローブおよび／または従来のロボットアーム機構の使用などを通した、一次、二次、または３次元における、またはあらゆる経路に沿った環状配列８００の動作は、関心領域内のある大きさまたは相当する空間をスキャンおよび／または処置するよう実施することができる。
【００４２】
変換器４０４はまた、映像化／治療機能のためにその他の環状または非配列構成において構成することもできる。例えば、図１０Ｃ〜１０Ｆを参照すると、変換器は治療要素１０１４を伴って構成された映像化要素１０１２を含むことができる。要素１０１２および１０１４は単一変換要素を含むことができ、例えば、図１０Ｃに図示されているように治療要素１０１４間の穴または隙間内に構成された映像化要素１０１２などの映像化／治療複合要素、または別々の要素が、同一変換要素内または図１０Ｄに図示されているような別々の映像化および治療要素の間に電子的に分離することができ１０２２、および／または隔離部１０２４またはその他の整合層、またはそれらの組み合わせを含むことができる。例えば、特に図１０Ｆに関して、変換器は、集束、非集束または平面エネルギー分布に対して構成された段階的構成レンズを含む治療要素１０１４を伴い、集束、非集束または平面エネルギー分布に対して構成された表面１０２８を持つ映像化要素１０１２を含むことができる。
【００４３】
本発明の様々な典型的実施例によれば、変換器４０４は、１つ以上の関心領域への集束音響エネルギーに対する一次、二次、および／または三次元処置適用を提供するように構成することができる。例えば、上記で検討しているように、変換器４０４は、例えば、副変換要素の単一配列を含む変換器６０２などの一次元配列を形成するように適宜さいの目に切られることができる。
【００４４】
別の典型的な実施例によれば、変換器４０４は二次元配列を形成するように二次元に適宜さいの目に切られてよい。例えば、図９を参照すると、典型的な二次元配列９００は、複数の二次元部分９０２へと適宜さいの目に切られてよい。二次元部分９０２は、特定の深度における処置領域に集束するように適切に構成され得るため、処置領域のそれぞれの薄片９０４を提供する。結果として、二次元配列９００は、処置領域の映像場所の二次元薄片切断を提供することができる。
【００４５】
別の典型的な実施例によれば、変換器４０４は、三次元処置を提供するように適切に構成することができる。例えば、関心領域の三次元処置を提供するため、再度図１を参照すると、三次元システムは、例えば、制御システム１０２などの制御システム内に含まれた三次元グラフィックソフトウェアを活用するものなどの、適合アルゴリズムを伴って構成されたプローブ１０４内の変換器を含むことができる。適合アルゴリズムは、関心領域に関する二次元映像、温度および／または処置、またはその他組織のパラメータ情報を受信し、受信した情報を処理し、そして相当する三次元映像、温度および／または処置情報を提供するように適切に構成することができる。
【００４６】
典型的な実施例によれば、再度図９を参照すると、典型的な三次元システムは、処置領域の異なる映像面から薄片９０４を適切に受信し、受信した情報を処理し、そして例えば三次元映像、温度および／または処置情報などの体積情報９０６を提供するように適合アルゴリズムを伴って構成することができる。さらに、適合アルゴリズムによって受信した情報を処理した後、二次元配列９００は望ましい体積領域９０６に対する治療加熱を適切に提供することができる。
【００４７】
別の典型的な実施例によれば、三次元ソフトウェアなどの適合アルゴリズムの活用よりもむしろ、三次元映像および／または温度情報を提供するために、典型的な三次元システムは、目標領域に関連して様々な回転および／または翻訳位置から操作するようにプローブ配置内に構成された単一変換器４０４を備えることができる。
【００４８】
変換器４０４に対する様々な構造をさらに図示するために、図７を参照すると、超音波治療変換器７００は、単一焦点、複数焦点の配列、複数焦点の場所、および／または回折パターンに対して構成することができる。変換器７００はまた、レンズ、音響コンポーネント、および機械的／電子集束を持つ、または持たない単一要素、多要素、環状配列、一次、二次、または三次元配列、広帯域変換器、および／またはそれらの組み合わせを含むこともできる。
【００４９】
球状集束単一要素７０２、環状配列７０４、減衰領域を持つ環状配列７０６、直線集束単一要素７０８、一次元直線配列７１０、上昇集束を持つまたは持たない凹面または凸面形による一次元曲線配列、二次元配列、および変換器の三次元空間的配置として構成された変換器は、治療および／または映像化および音響監視機能を実施するために使用することができる。変換器構成については、集束／非集束は、図１０Ｆに図示されているような機械的集束７２０、凸面レンズ７２２、凹面レンズ７２４、複合または複数レンズ７２６、平面形７２８、または段階的形を介して１つの面または２つの面で行うことができる。あらゆる変換器または変換器の組み合わせが、処置に対して活用することができる。例えば、環状変換器は、映像化変換器および治療変換器が、図１０Ｃ―１０Ｆに図示されているように異なる音響レンズおよびデザインを持つような、治療のために設けられた外側部および広帯域映像化のために設けられた内部ディスクとともに使用することができる。
【００５０】
様々な変換器構造をさらに理解すると、再度図２を参照して、広範囲の損傷に貢献する変換器または複数の変換器の幾何学的構成がどのように作用するかがさらに理解することができる。例えば、葉巻形損傷２０４および２０６は、球状集束源、および／または扁平源からの平面損傷２１０より生じさせることができる。凹面平面源および配列は、「Ｖ字形」または楕円形損傷２１４を生成することができる。直線配列などの電子配列は、様々な深度で様々な付加的損傷を形成するために使用することができる非集束、平面、または集束音響ビームを生じることができる。配列は単独または１つ以上の平面または集束変換器と併用して使用することができる。そのような併用された変換器および配列は、非常に広い範囲の音響およびその関連利益を産出することができる。固定焦点および／または可変焦点レンズまたは複数レンズは、処置の柔軟性をさらに向上させるために使用することができる。適切な電力処理能力を持つ液体充填レンズ、ゲル充填または固体ゲルレンズ、ゴムまたは複合レンズなどの表面組織よりも低い音速を持つ凸面形レンズを活用することができ、または凹面形の薄型レンズを活用し、組織よりも高い速度を持つ材料または合成物から構成することができる。変換器源および構成の構造が、上記で示唆しているように特定形態の損傷を容易にすることができる一方、その他の空間的パラメータならびに時間的パラメータがあらゆる変換器構造および源内でさらなる形態を容易にすることができるので、そのような構造はそれらの特定形態に限定されない。
【００５１】
組織内に生成された生理学的効果は、変換器構成、距離／配置、方向、および／または動作などのエネルギーの空間的配置だけでなく、時間的および時間依存性特徴によっても影響される。例えば、時間的制御に関して、各配列、二次元配列、または単一要素変換器を様々な送信周波数で使用することができ、約１ＭＨｚから４０ＭＨｚの範囲の中心周波数を持つ、またはエネルギーの単一広帯域パルスさえも持つ広帯域、または比較的低い帯域のどちらかとなり得る。振幅レベルおよび周波数選択は、さらに選択肢を広げるために処置中に変更することができる。送信時間またはエネルギーレベルは、組織の熱容量を越え、制御された熱傷（壊死）および／または剥離を生成するように構成される。熱容量は、生体組織が機能を失うために十分なエネルギー／熱の最小量である。これに関連して、熱容量は生体組織破壊を引き起こすためのエネルギーの最小量である。
【００５２】
そのような空間的および／または時間的制御はまた、開ループおよび／または閉ループフィードバックシステムを通して向上させることもできる。例えば、図１２Ａを参照すると、処置システム１２００は、関心領域１２０６を処置するためのプローブ１２０４を伴って構成された制御システム１１０２を持つ開ループフィードバック構造を含むことができる。制御システム１２０２は、制御システム３００内の様々な制御コンポーネントなどの制御コンポーネント１２０８、表示部１２１０、または組織パラメータ監視コンポーネント１２１２、またはその他の感知または監視コンポーネントを含むことができる。表示部１２１０は、処置領域、および／または空間的または時間的パラメータなどの映像を図示するために構成された表示部を含むことができる。そのような開ループシステムにおいて、システムユーザーは、映像および／またはその他の空間的または時間的  パラメータを適切に監視し、そして特定の処置目的を達成するために同一物を調整または修正することができる。開ループフィードバック構成のかわりに、または併用して、図１２Ｂに図示されている典型的な実施例を参照すると、典型的な処置システム１２００は、例えば、制御コンポーネント１２０８に提供するためにドライバ１２１４および増幅器１２１６内、または処置システム１１００のその他の制御可能な側面内で信号を生成するように映像および／または空間的／時間的パラメータを監視コンポーネント１２１２内で適切に監視できるような閉ループフィードバックシステムを含むことができる。結果として、出力の閉ループ制御およびプローブ１２０４の操作を実現することができる。
【００５３】
典型的な処置システムの操作中、選択されたサイズ、形態、方向の損傷構成が決定される。その損傷構成に基づき、適切な時間的パラメータとともに１つ以上の空間的パラメータが選択され、これは望ましい均一な損傷をもたらす組み合わせである。そして変換器の操作は、均一な損傷または損傷を提供するために開始することができる。開および／または閉ループフィードバックシステムもまた、頭角損傷をさらに制御するために、空間的および／または時間的特徴、および／またはその他の組織パラメータ監視を監視するように実施することができる。
【００５４】
図１３を参照すると、熱損傷成長を図示しているシミュレーション結果の収集を解説する。そのような損傷成長は、球状集束、円柱状集束、および平面（非集束）源で公称源音響パワーレベルであるＷ０およびそのレベルの２倍である２Ｗ０において生成されたが、ここで開示されているように変換器のあらゆる構成を活用することができる。熱輪郭は、異なる時間で組織が６５℃に達した時点を示している。円柱状集束源に対する輪郭は、短い軸に沿っているか、またはいわゆる上昇面である。この図は、異なるパワーレベルおよび源形状を持つ可能な損傷の異なる形態を強調している。また、図１４を参照すると、シミュレーション結果と隣接して化学染色したブタ組織の顕微鏡写真を示して一対の損傷およびシミュレーション結果を図示する。また、図１５を参照すると、オタマジャクシ形損傷および楔形損傷を強調し、化学染色したブタ組織の顕微鏡写真を示して別の一対の損傷およびシミュレーション結果を図示する。
【００５５】
要約すると、送信電力レベルおよびタイミング、送信周波数および／または駆動波形の制御などを通して時間的音場の調節と併用する、大きさ、要素構成、電子または機械的レンズ、音響結合および／または冷却などの変換器の種類および分布を介した音場の空間的分布の調節は、様々な大きさ、形態、および深度の制御された熱損傷の達成を容易にすることができる。さらに、人体の修復生物学的反応は、表面ヒト組織に対する望ましい作用をさらに引き起こすことができる。
【００５６】
本発明を様々な典型的な実施例を参照して上記に説明した。しかしながら、当業者には、本発明の範囲を逸脱しない範囲で変更および修正が可能であることが認識されるであろう。例えば、様々な操作上のステップ、ならびに操作上のステップを実行するためのコンポーネントは、特定の適用によって、またはシステムの操作に関連したあらゆる数の費用関数の考慮において、代替方法で実施することができ、例えば様々なステップを削除、修正、または他のステップと組み合わせたりすることができる。このようなおよび他の変更または修正も、以下の特許請求の範囲に記載のとおり、本発明の範囲内に含まれることを意図する。
【図１】
2020203206.tif 000003
【図２】
2020203206.tif 000004
【図３Ａ】
2020203206.tif 000005
【図３Ｂ】
2020203206.tif 000006
【図４Ａ】
2020203206.tif 000007
【図４Ｂ】
2020203206.tif 000008
【図５】
2020203206.tif 000009
【図６Ａ】
2020203206.tif 000010
【図６Ｂ】
2020203206.tif 000011
【図７】
2020203206.tif 000012
【図８】
2020203206.tif 000013
【図９】
2020203206.tif 000014
【図１０Ａ】
2020203206.tif 000015
【図１０Ｂ】
2020203206.tif 000016
【図１０Ｃ】
2020203206.tif 000017
【図１０Ｄ】
2020203206.tif 000018
【図１０Ｅ】
2020203206.tif 000019
【図１０Ｆ】
2020203206.tif 000020
【図１１】
2020203206.tif 000021
【図１２】
2020203206.tif 000022
【図１３】
2020203206.tif 000023
【図１４】
2020203206.tif 000024
【図１５】
2020203206.tif 000025
【外国語明細書】
2020203206000001.pdf